(57)【特許請求の範囲】
【請求項１】
ロール状に巻かれた感光材料をロール軸芯周りに回転自在に支持する感光材料支持部をマガジン本体に設け、前記マガジン本体に形成した感光材料排出口から前記ロール状の感光材料を一対の挟持ローラにより繰り出し可能に構成してある写真処理機における感光材料収容マガジンであって、
ロール状の感光材料の惰性回転を防止すべく、前記ロール状の感光材料をその径方向外方側から設定圧力で押圧する所定数の回転体を、前記感光材料の繰り出しに伴って回転自在に、かつ、前記ロール状の感光材料の繰り出しによる縮径に伴って、その径方向内方側に対応する側に位置変更自在に前記マガジン本体に設け、
前記回転体を揺動自在に支持する揺動アームの揺動範囲を所定範囲内に規制するため、揺動アームの揺動基端部に設けられる第１当接部と、マガジンケースに設けられる第２当接部が互いに当接可能に構成してある写真処理機における感光材料収容マガジン。
【請求項２】
前記所定数の回転体のうちの一つの回転体は、繰り出され始めて直線状になった感光材料と、ロール状の感光材料の外周部分との接点近傍を押圧する状態に配置してある請求項１記載の写真処理機における感光材料収容マガジン。
【請求項３】
前記ロール状の感光材料の径方向内方側に対応する側に前記回転体を付勢する付勢手段を設けて、前記ロール状の感光材料の繰り出しによる縮径に伴って、前記回転体が前記付勢手段の付勢力で前記ロール状の感光材料の径方向内方側に対応する側に位置変更するよう構成してある請求項１又は２記載の写真処理機における感光材料収容マガジン。
【発明の詳細な説明】
【０００１】
【発明の属する技術分野】
本発明は、ロール状に巻かれた感光材料をロール軸芯周りに回転自在に支持する感光材料支持部をマガジン本体に設け、前記マガジン本体に形成した感光材料排出口から前記ロール状の感光材料を一対の挟持ローラにより繰り出し可能に構成してある写真処理機における感光材料収容マガジンに関する。
【０００２】
【従来の技術】
感光材料収容マガジンに収容する感光材料は一般にパイプ状の芯材にロール状に巻かれている。また、感光材料収容マガジンの感光材料支持部は、前記芯材に挿通させる回転支軸を設けるとともに、前記回転支軸をその軸芯周りに回転自在に支持する軸受け部をマガジン本体に設けて構成してある。
【０００３】
そして、前記感光材料支持部に支持させた感光材料を、マガジン本体内のローラ機構の一対のローラにより挟持搬送して繰り出させている。
【０００４】
従来、上記の写真処理機における感光材料収容マガジンでは、ロール状の感光材料を支持するのに、上記のように、ロール状の感光材料側の芯材に挿通させた回転支軸をマガジン本体側の軸受け部に支持させてあるだけであった。
【０００５】
【発明が解決しようとする課題】
上記従来の構成によれば、ロール状の感光材料を支持するのに、上記のように、ロール状の感光材料側の芯材に挿通させた回転支軸をマガジン本体側の軸受け部に支持させてあるだけであったために、ローラ機構の繰り出し駆動を停止させたときに、ロール状の感光材料が惰性回転して外側の感光材料部分が緩むことがあった。
【０００６】
その結果、緩んだ感光材料がマガジン内壁で擦れて傷つき、プリント品質が低下するという問題があった。
【０００７】
本発明は上記実情に鑑みてなされたもので、その目的はプリント品質を向上させる点にある。
【０００８】
【課題を解決するための手段】
請求項１による発明の構成・作用・効果は次の通りである。
【０００９】
［構成］冒頭に記載した写真処理機における感光材料収容マガジンにおいて、ロール状の感光材料の惰性回転を防止すべく、前記ロール状の感光材料をその径方向外方側から設定圧力で押圧する回転体を、前記感光材料の繰り出しに伴って回転自在に、かつ、前記ロール状の感光材料の繰り出しによる縮径に伴って、その径方向内方側に対応する側に位置変更自在に前記マガジン本体に設け、
前記回転体を揺動自在に支持する揺動アームの揺動範囲を所定範囲内に規制するため、揺動アームの揺動基端部に設けられる第１当接部と、マガジンケースに設けられる第２当接部が互いに当接可能に構成してある。
【００１０】
［作用］
［イ］前記回転体がロール状の感光材料をその径方向外方側から設定圧力で押圧しているから、繰り出し駆動停止後のロール状の感光材料の惰性回転を阻止することができる。
【００１１】
［ロ］感光材料は繰り出しにより縮径していくが、前記回転体は感光材料の縮径に伴って、その径方向内方側に対応する側に位置変更していくから、感光材料が繰り出しにより縮径しても、前記［イ］と同様に繰り出し駆動停止後のロール状の感光材料の惰性回転を阻止することができる。
【００１２】
［ハ］繰り出し時は回転体が感光材料の繰り出しに伴って回転することで、感光材料に対する回転体の抵抗を小さくすることができ、感光材料が傷つくのを防止することができる。
【００１３】
［ニ］上記［イ］〜［ハ］によりロール状の感光材料の外側の感光材料部分が緩むのを防止することができ、従来の不具合、つまり、緩んだ感光材料がマガジン内壁で擦れて傷つくという不具合を防止することができる。
【００１４】
［効果］
従って、緩んだ感光材料がマガジン内壁で擦れて傷つくという不具合を防止することができるからプリント品質を向上させることができた。
【００１５】
請求項２による発明の構成・作用・効果は次の通りである。
【００１６】
［構成］
請求項１による発明の構成において、前記所定数の回転体のうちの一つの回転体は、繰り出され始めて直線状になった感光材料と、ロール状の感光材料の外周部分との接点近傍を押圧する状態に配置してある。
【００１７】
［作用］
請求項１の構成による作用と同様の作用を奏することができるのに加え、次の作用を奏することができる。
【００１８】
ロール状の感光材料が緩む場合、繰り出され始めて直線状になった感光材料と、ロール状の感光材料の外周部分との接点近傍から緩み始めるが、請求項２の構成によれば、所定数の回転体のうちの一つの回転体が前記接点近傍を押圧するから、感光材料をより緩みにくくすることができる。
【００１９】
［効果］
従って、緩んだ感光材料がマガジン内壁で擦れて傷つくという不具合を防止しやすくなり、プリント品質をより向上させることができるようになった。
【００２０】
請求項３による発明の構成・作用・効果は次の通りである。
【００２１】
［構成］
請求項１又は２による発明の構成において、前記ロール状の感光材料の径方向内方側に対応する側に前記回転体を付勢する付勢手段を設けて、前記ロール状の感光材料の繰り出しによる縮径に伴って、前記回転体が前記付勢手段の付勢力で前記ロール状の感光材料の径方向内方側に対応する側に位置変更するよう構成してある。
【００２２】
［作用］
請求項１又は２の構成による作用と同様の作用を奏することができるのに加え、前記付勢手段を設けてあるから、繰り出しによるロール状の印画紙の縮径に回転体を円滑に追従させることができて、ロール状の感光材料が繰り出しにより縮径しても所定数の回転体でロール状の感光材料を安定的に押圧しておくことができる。
【００２３】
［効果］従って、請求項１又は２の構成による効果と同様の効果を得やすくなった。
【００２４】
【発明の実施の形態】
以下、本発明の実施の形態を図面に基づいて説明する。
【００２５】
図１に、デジタル画像を印画紙２（感光材料に相当）に焼付け処理する写真処理機の焼付け処理部１を示してある。
【００２６】
前記焼付け処理部１は、マガジン台３を機体フレーム４に設け、パイプ状の芯材１０にロール状に巻かれた一対の印画紙２を各別に収容する第１マガジン５と第２マガジン６とをマガジン台３上に横方向に並設するとともに、印画紙２を搬送する搬送手段８を設け、印画紙２を第１マガジン５から繰り出す状態と、第２マガジン６から繰り出す状態とに切り換え自在に構成し、印画紙２を切断するカッター２３を設け、第１マガジン５と第２マガジン６の印画紙排出口３３からの印画紙２を焼付処理する画像形成部７を第１マガジン５の下方側に配設して構成してある。
【００２７】
次に、前記第１及び第２マガジン５，６の構造について説明する（両マガジン５，６とも同一構造であり、第１マガジン５の構造についてのみ説明する）。
【００２８】
図２に示すように、前記ロール状に巻かれた印画紙２をロール軸芯Ｏ周りに回転自在に支持する印画紙支持部１６をマガジン本体１１に設けるとともに、一対の挟持ローラ４０Ａ，４０Ｂで印画紙２を繰り出させる繰り出し駆動部４０をマガジン本体１１に設け、前記マガジン本体１１を上ケース１１Ｂと下ケース１１Ａとの二つ割り構造に構成し、ロール状の印画紙２をその幅方向で位置決めする第１位置決め手段１５と、繰り出された状態の印画紙２をその幅方向で位置決めする第２位置決め手段１７とを下ケース１１Ａに設け
【００２９】
前記印画紙支持部１６は、前記芯材１０に挿通させる回転支軸１８と、この回転支軸１８をその軸芯周りに回転自在に支持する軸受け部１９とから成り、前記軸受け部１９は、上ケース１１Ｂ側の軸受け部分と、下ケース１１Ａ側の軸受け部分との二つ割り構造に構成してある。
【００３０】
前記回転支軸１８は、両端部にその回転支軸１８と相対回転自在な支持ケース２０をそれぞれ備えており、両支持ケース２０を下ケース１１Ａのケース用穴に各別に内嵌することで下ケース１１Ａに装着する。
【００３１】
前記上ケースＢ側にも支持ケース２０に対するケース用穴を形成してあり、回転支軸１８を下ケース１１Ａに装着した後、上ケース１１Ｂを閉じることで、上ケースＢ側のケース用穴が支持ケース２０に嵌合し、これにより第１マガジン５から印画紙２を繰り出し可能になる。
【００３２】
図１，図２，図４，図５に示すように、前記ロール状の印画紙２の周方向における複数箇所の部分をその径方向外方側から設定圧力で各別に押圧する複数のローラ機構２５を下ケース１１Ａと上ケース１１Ｂとに設けてある。
【００３３】
前記複数のローラ機構２５はロール状の印画紙２の周りに分散して位置しており、そのうちの一つのローラ機構２５は、繰り出され始めて直線状になった印画紙２と、ロール状の印画紙２の外周部分との接点近傍を押圧する状態に位置している。
【００３４】
前記ローラ機構２５は、下ケース１１Ａ又は上ケース１１Ｂにボルト固定したベース３２に揺動アーム２８を、印画紙２の幅方向に対応する方向に沿う第１横軸芯Ｐ周りに揺動自在に支持させ、揺動アーム２８の揺動端部に、ロール状の印画紙２に対するローラ２６（回転体に相当）を第１横軸芯Ｐに沿う第２横軸芯Ｑ周りに回転自在に支持させ、ロール状の印画紙２の径方向内方側に対応する側に揺動アーム２８を揺動付勢するバネ２７（付勢手段に相当）を設けて、ロール状の印画紙２の繰り出しによる縮径に伴って、ローラ２６がバネ２７の付勢力でロール状の印画紙２の径方向内方側に対応する側に位置変更するよう構成してある。
【００３５】
また、前記揺動アーム２８の揺動基端部と下ケース１１Ａ（又は上ケース１１Ｂ）とに、互いに当接する第１当接部３１と第２当接部３０とを各別に設けて、揺動アーム２８の揺動範囲を所定の範囲内に規制するよう構成してある。
【００３６】
上記のように、前記ローラ２６がロール状の印画紙２をその径方向外方側から設定圧力で押圧しており、ローラ２６が印画紙２の縮径に伴って、その径方向内方側に対応する側に位置変更していくから、繰り出し駆動部４０による繰り出し駆動停止後のロール状の印画紙２の惰性回転を阻止することができる。
【００３７】
繰り出し時はローラ２６が印画紙２の繰り出しに伴って回転することで、印画紙２に対するローラ２６の抵抗を小さくすることができる。
【００３８】
図１，図２，図３に示すように、前記第１位置決め手段１５は、ロール状の印画紙２の幅方向外方側から前記芯材１０をリング状のスペーサ１４を介して受け止める左右一対の第１幅規制ガイド１３（位置決め作用体に相当）を、印画紙２の幅方向に対応する方向に第１位置変更機構（図示せず）を介して位置変更調節自在に下ケース１１Ａの壁部に設けて構成してある。
【００３９】
前記スペーサ１４は回転支軸１８に外嵌してある。このスペーサ１４は回転支軸１８に例えばセットボルトを介して回転支軸の長手方向で位置固定してあってもよい。また、単に回転支軸１８に外嵌してあるだけで前記回転支軸１８の長手方向で位置固定してなくてもよい。
【００４０】
前記第１位置変更機構は、下ケース１１Ａの壁部側に、印画紙２の長手方向に対応する方向視で凹凸部（図示せず）を設け、第１幅規制ガイド１３側に、前記凹凸部の凹部に選択係合する係合凸部（図示せず）を設けて構成してある。
【００４１】
前記第１幅規制ガイド１３は前記位置変更調節の後にボルトにより固定する。
【００４２】
前記第１幅規制ガイド１３が、ロール状の印画紙２の幅方向外方側から芯材１０をスペーサ１４を介して受け止めて、ロール状の印画紙２をその幅方向で位置決めするから、印画紙２の繰り出し又は巻き戻しでロール状の印画紙２がロール軸芯Ｏ周りに回転しても、印画紙２の側縁が第１幅規制ガイド１３で擦れることがなく、印画紙粉等が発生することがない。
【００４３】
前記第２位置決め手段１７は、繰り出された状態の印画紙２をその幅方向外方側から受け止めて、前記幅方向で位置決めする左右一対のＬ字形の第２幅規制ガイド９を、印画紙２の幅方向に対応する方向に第２位置変更機構を介して位置変更調節自在に下ケース１１Ａ側のガイドベース１２に設けて構成してある。
【００４４】
前記第２位置変更機構は、下ケース１１Ａのガイドベース１２側に、印画紙２の長手方向に対応する方向視で凹凸部を設け、第２幅規制ガイド９側に、前記凹凸部の凹部に選択係合する係合凸部を設けて構成してある。
【００４５】
前記第２幅規制ガイド９は前記位置変更調節の後にボルトにより固定する。
【００４６】
前記第１及び第２幅規制ガイド１３，９を位置変更調節することで、幅が異なる複数種の印画紙２に対応することができる。
【００４７】
［別実施形態］
前記感光材料は印画紙以外のものであってもよい。
【００４８】
前記写真処理機はネガフィルムの画像を焼付け露光するアナログ式のものであってもよい。
【図面の簡単な説明】
【図１】写真処理機の焼付け処理部の概略側面図
【図２】マガジンの斜視図
【図３】マガジンの縦断正面図
【図４】ローラ機構の側面図
【図５】ローラ機構の背面図
【符号の説明】
２            感光材料
１１            マガジン本体
１６            感光材料支持部
２６            回転体
２７            付勢手段
３３            感光材料排出口
Ｏ            ロール軸芯
【図１】
0003815650.tif 000002
【図２】
0003815650.tif 000003
【図３】
0003815650.tif 000004
【図４】
0003815650.tif 000005
【図５】
0003815650.tif 000006